【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
容量タッチスクリーンスタイラスであって、
伝導性本体と、
前記本体の近位端における先端と、
前記先端と一体である電極であって、前記電極は、前記伝導性本体から絶縁され、容量結合をタッチスクリーンに提供する、電極と、
前記電極と連結された変調ユニットであって、前記変調ユニットは、前記電極を前記伝導性本体と接続するスイッチを制御し、前記タッチスクリーンに連結された容量タッチスクリーンコントローラによって検出されることができる変調信号を提供する、変調ユニットと
を備える、容量タッチスクリーンスタイラス。
【請求項２】
前記変調信号は、パルス幅変調（ＰＷＭ）、パルス位置変調（ＰＰＭ）、パルス分割変調（ＰＤＭ）から成る群から選択される、請求項１に記載の容量タッチスクリーンスタイラス。
【請求項３】
前記変調信号は、オンオフキーイング（ＯＯＫ）、振幅偏移キーイング（ＡＳＫ）、位相偏移キーイング（ＰＳＫ）、および周波数偏移キーイング（ＦＳＫ）から成る群から選択される、請求項１に記載の容量タッチスクリーンスタイラス。
【請求項４】
前記先端に印加される圧力を測定するための複数の圧力センサを前記本体の前記近位端にさらに備える、請求項１に記載の容量タッチスクリーンスタイラス。
【請求項５】
前記複数の圧力センサは、どれだけの力が前記先端に印加されているかを測定する、請求項４に記載の容量タッチスクリーンスタイラス。
【請求項６】
前記複数の圧力センサは、前記タッチスクリーンに対する前記本体の角度を判定するように力情報を提供する、請求項５に記載の容量タッチスクリーンスタイラス。
【請求項７】
前記複数の圧力センサは、前記タッチスクリーンに触れるときに、前記本体の回転を判定するように力情報を提供する、請求項５に記載の容量タッチスクリーンスタイラス。
【請求項８】
ユーザによって押されたときに、コマンドを入力するか、または前記タッチスクリーン上の画像の一部分を修正するための少なくとも１つの制御ボタンをさらに備える、請求項１に記載の容量タッチスクリーンスタイラス。
【請求項９】
ユーザによって回転させられたときに、コマンドを入力するか、または前記タッチスクリーン上の画像の一部分を修正するための少なくとも１つの入力ホイールをさらに備える、請求項１に記載の容量タッチスクリーンスタイラス。
【請求項１０】
少なくとも１つの触覚変換器をさらに備える、請求項１に記載の容量タッチスクリーンスタイラス。
【請求項１１】
前記少なくとも１つの触覚変換器は、前記スタイラスを握るユーザに振動フィードバックを提供するための振動変換器である、請求項１０に記載の容量タッチスクリーンスタイラス。
【請求項１２】
前記少なくとも１つの触覚変換器は、前記スタイラスを握るユーザに音声フィードバックを提供するための音声変換器である、請求項１０に記載の容量タッチスクリーンスタイラス。
【請求項１３】
前記変調ユニットと、デジタルプロセッサと、メモリとを備えるマイクロコントローラをさらに備え、前記デジタルプロセッサは、前記変調ユニットに連結され、前記タッチスクリーンを介してデジタル情報を前記容量タッチスクリーンコントローラに送信するように構成されている、請求項１に記載の容量タッチスクリーンスタイラス。
【請求項１４】
前記マイクロコントローラは、前記電極および前記デジタルプロセッサに連結されている、復調ユニットをさらに備え、前記復調ユニットは、前記タッチスクリーンを介して前記容量タッチスクリーンコントローラから情報を受信する、請求項１３に記載の容量タッチスクリーンスタイラス。
【請求項１５】
前記デジタルプロセッサは、前記複数の圧力センサから情報を受信する、請求項１３に記載の容量タッチスクリーンスタイラス。
【請求項１６】
前記デジタルプロセッサは、前記本体上の少なくとも１つの制御ボタンから情報を受信する、請求項１３に記載の容量タッチスクリーンスタイラス。
【請求項１７】
前記デジタルプロセッサは、前記本体上の少なくとも１つの入力ホイールから情報を受信する、請求項１３に記載の容量タッチスクリーンスタイラス。
【請求項１８】
前記デジタルプロセッサは、少なくとも１つの触覚変換器を制御する、請求項１３に記載の容量タッチスクリーンスタイラス。
【請求項１９】
タッチスクリーンおよびスタイラスシステムであって、前記システムは、
タッチスクリーンデバイスであって、
容量タッチスクリーンと、
前記容量タッチスクリーンに連結された容量タッチスクリーンコントローラと、
前記容量タッチスクリーンコントローラに連結されている、デジタルプロセッサおよびメモリと
を備える、タッチスクリーンデバイスと、
請求項１〜１８のうちの１項に記載のタッチスクリーンスタイラスと
を備え、
前記タッチスクリーンスタイラスは、図形情報を前記タッチスクリーンデバイスに提供する、タッチスクリーンおよびスタイラスシステム。
【請求項２０】
前記図形情報は、線の幅、線の太さ、および線の色から成る群から選択される、請求項１９に記載のタッチスクリーンおよびスタイラスシステム。
【請求項２１】
請求項１９または２０に記載のタッチスクリーンスタイラスを用いてタッチスクリーンデバイスを動作させるための方法であって、前記方法は、
前記タッチスクリーンデバイス内の前記容量タッチスクリーンコントローラに連結された前記容量タッチスクリーンの近位にある前記タッチスクリーンスタイラスの前記先端内の前記電極を通して、前記タッチスクリーンスタイラスから前記タッチスクリーンデバイスに図形情報を送信するステップ
を含む、方法。
【請求項２２】
前記タッチスクリーンデバイス内の前記容量タッチスクリーンコントローラに連結された前記容量タッチスクリーンの近位にある前記タッチスクリーンスタイラスの前記先端内の前記電極を通して、前記タッチスクリーンデバイスからフィードバック情報を受信するステップをさらに含む、請求項２１に記載の方法。
【請求項２３】
前記タッチスクリーンスタイラスは、触覚変換器を通して前記フィードバック情報を振動または音として提供する、請求項２２に記載の方法。
【手続補正２】
【補正対象書類名】明細書
【補正対象項目名】００１１
【補正方法】変更
【補正の内容】
【００１１】
本方法のさらなる実施形態によると、図形情報は、線の幅、線の太さ、および線の色から成る群から選択されてもよい。本方法のさらなる実施形態によると、タッチスクリーンデバイス内の容量タッチスクリーンコントローラに連結される容量タッチスクリーンの近位にあるタッチスクリーンスタイラスの先端内の電極を通して、タッチスクリーンデバイスからフィードバック情報を受信するステップを含んでもよい。本方法のさらなる実施形態によると、フィードバック情報は、振動および音から成る群から選択されてもよい。
本願明細書は、例えば、以下の項目も提供する。
（項目１）
本体と、
前記本体の近位端における先端と、
前記先端と一体であり、容量結合をタッチスクリーンに提供する、電極と、
前記電極に連結され、前記タッチスクリーンに連結される容量タッチスクリーンコントローラによって検出される変調信号を提供する、変調ユニットと、
を備える、容量タッチスクリーンスタイラス。
（項目２）
前記変調信号は、パルス幅変調（ＰＷＭ）、パルス位置変調（ＰＰＭ）、およびパルス分割変調（ＰＤＭ）から成る群から選択される、項目１に記載の容量タッチスクリーンスタイラス。
（項目３）
前記変調信号は、オンオフキーイング（ＯＯＫ）、振幅偏移キーイング（ＡＳＫ）、位相偏移キーイング（ＰＳＫ）、および周波数偏移キーイング（ＦＳＫ）から成る群から選択される、項目１に記載の容量タッチスクリーンスタイラス。
（項目４）
前記先端に印加される圧力を測定するための複数の圧力センサを前記本体の前記近位端にさらに備える、項目１に記載の容量タッチスクリーンスタイラス。
（項目５）
前記複数の圧力センサは、どれだけの力が前記先端に印加されているかを測定する、項目４に記載の容量タッチスクリーンスタイラス。
（項目６）
前記複数の圧力センサは、前記タッチスクリーンに対する前記本体の角度を判定するように力情報を提供する、項目５に記載の容量タッチスクリーンスタイラス。
（項目７）
前記複数の圧力センサは、前記タッチスクリーンに触れるときに、前記本体の回転を判定するように力情報を提供する、項目５に記載の容量タッチスクリーンスタイラス。
（項目８）
ユーザによって押されたときに、コマンドを入力するか、または前記タッチスクリーン上の画像の一部分を修正するための少なくとも１つの制御ボタンをさらに備える、項目１に記載の容量タッチスクリーンスタイラス。
（項目９）
ユーザによって回転させられたときに、コマンドを入力するか、または前記タッチスクリーン上の画像の一部分を修正するための少なくとも１つの入力ホイールをさらに備える、項目１に記載の容量タッチスクリーンスタイラス。
（項目１０）
少なくとも１つの触覚変換器をさらに備える、項目１に記載の容量タッチスクリーンスタイラス。
（項目１１）
前記少なくとも１つの触覚変換器は、前記スタイラスを握るユーザに振動フィードバックを提供するための振動変換器である、項目１０に記載の容量タッチスクリーンスタイラス。
（項目１２）
前記少なくとも１つの触覚変換器は、前記スタイラスを握るユーザに音声フィードバックを提供するための音声変換器である、項目１０に記載の容量タッチスクリーンスタイラス。
（項目１３）
前記本体内にデジタルプロセッサと、メモリとをさらに備え、前記デジタルプロセッサは、前記変調ユニットに連結され、前記タッチスクリーンを介して、デジタル情報を前記容量タッチスクリーンコントローラに送信する、項目１に記載の容量タッチスクリーンスタイラス。
（項目１４）
前記電極および前記デジタルプロセッサに連結される復調ユニットをさらに備え、前記復調ユニットは、前記タッチスクリーンを介して前記容量タッチスクリーンコントローラから情報を受信する、項目１３に記載の容量タッチスクリーンスタイラス。
（項目１５）
前記デジタルプロセッサは、前記複数の圧力センサから情報を受信する、項目１３に記載の容量タッチスクリーンスタイラス。
（項目１６）
前記デジタルプロセッサは、前記本体上の前記少なくとも１つの制御ボタンから情報を受信する、項目１３に記載の容量タッチスクリーンスタイラス。
（項目１７）
前記デジタルプロセッサは、前記本体上の前記少なくとも１つの入力ホイールから情報を受信する、項目１３に記載の容量タッチスクリーンスタイラス。
（項目１８）
前記デジタルプロセッサは、前記少なくとも１つの触覚変換器を制御する、項目１３に記載の容量タッチスクリーンスタイラス。
（項目１９）
前記デジタルプロセッサ、メモリ、および変調ユニットは、マイクロコントローラによって提供される、項目１３に記載の容量タッチスクリーンスタイラス。
（項目２０）
タッチスクリーンおよびスタイラスシステムであって、
タッチスクリーンデバイスであって、
容量タッチスクリーンと、
前記容量タッチスクリーンに連結される、容量タッチスクリーンコントローラと、
前記容量タッチスクリーンコントローラに連結される、デジタルプロセッサおよびメモリと、
を備える、タッチスクリーンデバイスと、
タッチスクリーンスタイラスであって、
本体と、
前記本体の近位端における先端と、
前記先端と一体であり、容量結合をタッチスクリーンに提供する、電極と、
前記電極に連結され、前記タッチスクリーンに連結される前記容量タッチスクリーンコントローラによって検出される変調信号を提供する、変調ユニットと、
を備える、タッチスクリーンスタイラスと、
を備え、
前記タッチスクリーンスタイラスは、図形情報を前記タッチスクリーンデバイスに提供する、タッチスクリーンおよびスタイラスシステム。
（項目２１）
前記図形情報は、線の幅、線の太さ、および線の色から成る群から選択される、項目２０に記載のタッチスクリーンおよびスタイラスシステム。
（項目２２）
ユーザによって押されたときに、コマンドを入力するか、または前記タッチスクリーン上の画像の一部分を修正するための少なくとも１つの制御ボタンを前記タッチスクリーンスタイラスの前記本体上にさらに備える、項目２０に記載のタッチスクリーンおよびスタイラスシステム。
（項目２３）
ユーザによって回転させられたときに、コマンドを入力するか、または前記タッチスクリーン上の画像の一部分を修正するための少なくとも１つの入力ホイールを前記タッチスクリーンスタイラスの前記本体上にさらに備える、項目２０に記載のタッチスクリーンおよびスタイラスシステム。
（項目２４）
前記タッチスクリーンスタイラスの前記本体の前記近位端に位置する、複数の圧力センサをさらに備える、項目２０に記載のタッチスクリーンおよびスタイラスシステム。
（項目２５）
前記タッチスクリーンスタイラスの前記本体の中に少なくとも１つの触覚変換器をさらに備える、項目２０に記載のタッチスクリーンおよびスタイラスシステム。
（項目２６）
タッチスクリーンスタイラスを用いてタッチスクリーンデバイスを制御するための方法であって、
タッチスクリーンデバイス内の容量タッチスクリーンコントローラに連結される容量タッチスクリーンの近位にある前記タッチスクリーンスタイラスの先端内の電極を通して、タッチスクリーンスタイラスから前記タッチスクリーンデバイスに図形情報を送信するステップ
を含む、方法。
（項目２７）
前記図形情報は、線の幅、線の太さ、および線の色から成る群から選択される、項目２６に記載の方法。
（項目２８）
前記タッチスクリーンデバイス内の前記容量タッチスクリーンコントローラに連結される前記容量タッチスクリーンの近位にある前記タッチスクリーンスタイラスの前記先端内の前記電極を通して、前記タッチスクリーンデバイスからフィードバック情報を受信するステップをさらに含む、項目２６に記載の方法。
（項目２９）
前記フィードバック情報は、振動および音から成る群から選択される、項目２８に記載の方法。